(57)【要約】【課題】　発電装置の漏れ磁束などによるノイズの影響を低減して、確実にモータの駆動制御を行う。【解決手段】　発電を行う発電装置と、発電された電気エネルギーを蓄電する蓄電装置と、蓄電装置に蓄えられた電気エネルギーにより駆動されるモータと、駆動パルス信号を出力することによりモータの駆動制御を行うパルス駆動制御装置と、を備えた電子機器において、モータが回転したか否かを前記モータの回転に伴って当該モータに発生する誘起電圧に比例する回転検出電圧と回転基準電圧とを比較し、発電装置の発電状態あるいは蓄電装置の充電状態を検出し、検出された前記発電装置の発電状態あるいは蓄電装置の充電状態に基づいて回転検出電圧あるいは回転基準電圧の電圧レベルを両電圧差が非回転時に大きくなるように予め定めた所定量だけシフトする。【選択図】　　　図２
2004077494.tif 000002
【特許請求の範囲】
【請求項１】
　外部エネルギーを電気エネルギーに変換して発電を行う発電部と、
　前記発電された電気エネルギーを蓄電する蓄電部と、
　前記蓄電部に蓄えられた電気エネルギーにより駆動される一または複数のモータと、
　駆動パルス信号を出力することにより前記モータの駆動制御を行うパルス駆動制御部と、
　前記モータが回転したか否かを前記モータの回転に伴って当該モータに発生する誘起電圧に対応する回転検出電圧と回転基準電圧とを比較することにより検出する回転検出部と、
　前記発電部の発電状態あるいは前記蓄電部の前記発電に伴う充電状態を検出する状態検出部と、
　前記状態検出部により検出された前記発電部の発電状態あるいは前記蓄電部の前記充電状態に基づいて前記モータの非回転時における前記回転検出電圧と前記回転基準電圧との差が大きくなるように前記回転検出電圧あるいは前記回転基準電圧を設定する電圧設定部と、
　を備えたことを特徴とする電子機器。
【請求項２】
　外部エネルギーを電気エネルギーに変換して発電を行う発電装置と、前記発電された電気エネルギーを蓄電する蓄電装置と、前記蓄電装置に蓄えられた電気エネルギーにより駆動される一または複数のモータと、駆動パルス信号を出力することにより前記モータの駆動制御を行うパルス駆動制御装置と、を備えた電子機器の制御方法において、
　前記モータが回転したか否かを前記モータの回転に伴って当該モータに発生する誘起電圧に対応する回転検出電圧と回転基準電圧とを比較することにより検出する回転検出過程と、
　前記発電装置の発電状態あるいは前記蓄電装置の前記発電に伴う充電状態を検出する状態検出過程と、
　前記状態検出過程において、検出された前記発電装置の発電状態あるいは前記蓄電装置の充電状態に基づいて前記回転検出電圧の電圧レベルを前記回転基準電圧に対して相対的に非回転側に予め定めた所定量だけシフトする電圧シフト過程と、を備えたことを特徴とする電子機器の制御方法。
【請求項３】
　外部エネルギーを電気エネルギーに変換して発電を行う発電装置と、前記発電された電気エネルギーを蓄電する蓄電装置と、前記蓄電装置に蓄えられた電気エネルギーにより駆動される一または複数のモータと、駆動パルス信号を出力することにより前記モータの駆動制御を行うパルス駆動制御装置と、を備えた電子機器の制御方法において、
　前記モータが回転したか否かを前記モータの回転に伴って当該モータに発生する誘起電圧に対応する回転検出電圧と回転基準電圧とを比較することにより検出する回転検出過程と、
　前記発電装置発電状態あるいは前記発電に伴う前記蓄電装置の充電状態を検出する状態検出過程と、
　前記状態検出過程において、検出された前記発電装置の発電状態あるいは前記蓄電装置の前記充電状態に基づいて前記回転基準電圧の電圧レベルを前記回転検出電圧に対して相対的に回転側に予め定めた所定量だけシフトする電圧シフト過程を備えたことを特徴とする電子機器の制御方法。
【発明の詳細な説明】
【技術分野】
【０００１】
　本発明は、電子機器及びその制御方法に係り、好ましくは携帯用の電子式計時装置などのように蓄電装置及び駆動用モータを内蔵した電子機器及びその制御方法に関するものである。
【背景技術】
【０００２】
　近年、腕時計タイプなどの小型の電子時計に太陽電池などの発電装置を内蔵し、電池交換なしに動作するものが実現されている。
　これらの電子時計においては、発電装置で発生した電力をいったん大容量コンデンサなどに充電する機能を備えており、発電が行われないときはコンデンサから放電される電力で時刻表示が行われるようになっている。
　このため、電池なしでも長時間安定した動作が可能であり、電池の交換の手間あるいは電池の廃棄上の問題などを考慮すると、今後、多くの電子時計に発電装置が内蔵されるものと期待されている。
　このような発電装置を内蔵した電子時計として、特公平３−５８０７３号公報記載のアナログ電子時計がある。
　このアナログ電子時計において、指針を駆動するためのモータの回転検出を行う回転検出回路は、複数の検出抵抗素子のなかからモータの性能にあわせて検出抵抗素子を選択する構成を採っていた。
【０００３】
　上記従来の技術においては、モータの性能にあわせた検出抵抗素子の選択において、検出感度を高くするような検出抵抗素子が選択された場合には、交流磁界検出では検出することができないようなレベルの発電装置の動作に起因する交流磁界ノイズを検出することとなり、モータが非回転にも拘わらず、回転したと誤検出してしまうという不具合が生じる可能性があった。
　このような誤検出が生じると、確実なモータの駆動制御を行うことができなくなってしまう。
【発明の開示】
【発明が解決しようとする課題】
【０００４】
　そこで、本発明の目的は、発電装置の漏れ磁束などによるノイズの影響を低減して、確実にモータの駆動制御を行うことが可能な電子機器および電子機器の制御方法を提供することにある。
【課題を解決するための手段】
【０００５】
　本発明の第１の態様は、発電を行う発電部と、発電された電気エネルギーを蓄電する蓄電部と、蓄電部に蓄えられた電気エネルギーにより駆動される一または複数のモータと、駆動パルス信号を出力することによりモータの駆動制御を行うパルス駆動制御部と、モータが回転したか否かをモータの回転に伴って当該モータに発生する誘起電圧に対応する回転検出電圧と回転基準電圧とを比較することにより検出する回転検出部と、発電部の発電状態あるいは蓄電部の発電に伴う充電状態を検出する状態検出部と、状態検出部により検出された発電部の発電状態あるいは蓄電部の前記充電状態に基づいてモータの非回転時における回転検出電圧と回転基準電圧との差が大きくなるように回転検出電圧あるいは回転基準電圧を設定する電圧設定部と、を備えたことを特徴としている。
【０００６】
　本発明の第２の態様は、本発明の第１の態様において、電圧設定部は、回転検出電圧の電圧レベルを相対的に非回転側に予め定めた所定量だけシフトする電圧シフト部を備えたことを特徴としている。
【０００７】
　本発明の第３の態様は、本発明の第１の態様において、状態検出部は、蓄電部において充電がされているか否かを検出する充電検出部を備えたことを特徴としている。
【０００８】
　本発明の第４の態様は、本発明の第１の態様において、状態検出部は、発電部の発電に伴って磁界が発生しているか否かを検出する発電磁界検出部を備えたことを特徴としている。
【０００９】
　本発明の第５の態様は、本発明の第２の態様において、回転検出部は、回転検出インピーダンス素子を有し、電圧シフト部は、回転検出インピーダンス素子のインピーダンスを実効的に低下させるインピーダンス低下部を備えたことを特徴としている。
【００１０】
　本発明の第６の態様は、本発明の第５の態様において、回転検出インピーダンス素子は、複数の副回転検出インピーダンス素子を備えて構成され、インピーダンス低下部は、複数の副回転検出インピーダンス素子のうち少なくとも一の副回転検出インピーダンス素子を短絡することによって、回転検出インピーダンス素子のインピーダンスを実効的に低下させることを特徴としている。
【００１１】
　本発明の第７の態様は、本発明の第５の態様において、回転検出インピーダンス素子は、複数の副回転検出インピーダンス素子を備えて構成され、インピーダンス低下部は、複数の副回転検出インピーダンス素子を切り替えることにより回転検出インピーダンス素子のインピーダンスを実効的に低下させることを特徴としている。
【００１２】
　本発明の第８の態様は、本発明の第５の態様において、回転検出インピーダンス素子は抵抗素子であることを特徴としている。
【００１３】
　本発明の第９の態様は、本発明の第１の態様において、誘起電圧をチョッパ増幅して回転検出電圧として出力するチョッパ増幅部を備え、電圧設定部は、状態検出部により検出された発電部の発電状態あるいは蓄電部の前記充電状態に基づいてチョッパ増幅部における増幅率を低下させる増幅率低下部を備えたことを特徴としている。
【００１４】
　本発明の第１０の態様は、本発明の第９の態様において、増幅率低下部は、チョッパ増幅に伴うチョッパ電流の経路中に電圧降下素子を挿入する電圧降下素子挿入部を備えたことを特徴としている。
【００１５】
　本発明の第１１の態様は、本発明の第９の態様において、チョッパ増幅部は、チョッパ増幅制御信号に対応する周波数でチョッパ増幅を行うものであり、増幅率低下部は、所定の発電状態あるいは発電に伴う所定の充電状態の検出時におけるチョッパ増幅制御信号の周波数を所定の発電状態あるいは所定の充電状態の非検出時におけるチョッパ増幅制御信号よりも予め定めた所定量だけ高く設定することを特徴としている。
【００１６】
　本発明の第１２の態様は、本発明の第９の態様において、チョッパ増幅部は、充電の検出時におけるチョッパデューティを充電の非検出時におけるチョッパデューティである基準チョッパデューティよりも小さくし、あるいは、大きく設定することを特徴としている。
【００１７】
　本発明の第１３の態様は、本発明の第１の態様において、電圧設定部は、状態検出部により検出された発電部の発電状態あるいは蓄電部の前記充電状態に基づいて回転基準電圧の電圧レベルを回転検出電圧に対して相対的に回転側に予め定めた所定量だけシフトする電圧シフト部を備えたことを特徴としている。
【００１８】
　本発明の第１４の態様は、本発明の第１３の態様において、電圧シフト部は、状態検出部により検出された発電部の発電状態あるいは蓄電部の充電状態に基づいて複数の原回転基準電圧のうちからいずれか一の原回転基準電圧を回転基準電圧とする基準電圧選択部を備えたことを特徴としている。
【００１９】
　本発明の第１５の態様は、本発明の第１４の態様において、状態検出部は、蓄電部を流れる充電電流に基づいて充電状態を検出することを特徴としている。
【００２０】
　本発明の第１６の態様は、本発明の第第１４の態様において、状態検出部は、蓄電部の充電電圧に基づいて充電状態を検出することを特徴としている。
【００２１】
　本発明の第１７の態様は、本発明の第２の態様または第１３の態様において、パルス駆動制御部は、駆動パルス信号出力後、予め定めた所定時間経過後に回転検出部における回転検出に用いられる回転検出パルス信号を出力し、電圧シフト部は、状態検出部により検出された発電部の発電状態あるいは蓄電部の充電状態に基づいて所定時間中にモータを構成するコイルの端子を閉ループ状態とする、ことを特徴としている。
【００２２】
　本発明の第１８の態様は、本発明の第１７の態様において、電圧シフト部は、状態検出部により検出された発電部の発電状態あるいは蓄電部の充電状態に基づいて所定の発電状態あるいは所定の充電状態の検出時における駆動パルス信号の周波数を所定の発電状態あるいは所定の充電状態の非検出時における周波数よりも低く設定する、ことを特徴としている。
【００２３】
　本発明の第１９の態様は、本発明の第２の態様または第１３の態様において、駆動パルス信号は、複数の副駆動パルス信号により構成され、電圧シフト部は、駆動パルス信号出力期間における最後の副駆動パルス信号の実効電力を当該駆動パルス信号出力期間における他の副駆動パルス信号の実効電力よりも大きくすることを特徴としている。
【００２４】
　本発明の第２０の態様は、本発明の第１の態様において、電子機器は、携帯用であることを特徴としている。
【００２５】
　本発明の第２１の態様は、本発明の第１の態様において、電子機器は、計時動作を行う計時部を備えたことを特徴としている。
【００２６】
　本発明の第２２の態様は、発電を行う発電装置と、発電された電気エネルギーを蓄電する蓄電装置と、蓄電装置に蓄えられた電気エネルギーにより駆動される一または複数のモータと、駆動パルス信号を出力することによりモータの駆動制御を行うパルス駆動制御装置と、を備えた電子機器の制御方法において、モータが回転したか否かをモータの回転に伴って当該モータに発生する誘起電圧に対応する回転検出電圧と回転基準電圧とを比較することにより検出する回転検出過程と、発電装置の発電状態あるいは蓄電装置の発電に伴う充電状態を検出する状態検出過程と、状態検出過程において、検出された発電装置の発電状態あるいは蓄電装置の充電状態に基づいて回転検出電圧の電圧レベルを回転基準電圧に対して相対的に非回転側に予め定めた所定量だけシフトする電圧シフト過程と、を備えたことを特徴としている。
【００２７】
　本発明の第２３の態様は、発電を行う発電装置と、発電された電気エネルギーを蓄電する蓄電装置と、蓄電装置に蓄えられた電気エネルギーにより駆動される一または複数のモータと、駆動パルス信号を出力することによりモータの駆動制御を行うパルス駆動制御装置と、を備えた電子機器の制御方法において、モータが回転したか否かをモータの回転に伴って当該モータに発生する誘起電圧に対応する回転検出電圧と回転基準電圧とを比較することにより検出する回転検出過程と、発電装置発電状態あるいは発電に伴う蓄電装置の充電状態を検出する状態検出過程と、状態検出過程において、検出された発電装置の発電状態あるいは蓄電装置の前記充電状態に基づいて回転基準電圧の電圧レベルを回転検出電圧に対して相対的に回転側に予め定めた所定量だけシフトする電圧シフト部を備えたことを特徴としている。
【発明を実施するための最良の形態】
【００２８】
次に図面を参照して本発明の好適な実施形態について説明する。
［１］ 第１実施形態
［１．１］全体構成
　図１に、第１実施形態の電子機器である計時装置１の概略構成を示す。
計時装置１は、腕時計であって、使用者は装置本体に連結されたベルトを手首に巻き付けて使用するようになっている。
　計時装置１は、大別すると、交流電力を発電する発電部Ａと、発電部Ａからの交流電圧を整流するとともに昇圧した電圧を蓄電し、各構成部分へ電力を給電する電源部Ｂと、発電部Ａの発電状態を検出し、検出結果に基づいて装置全体を制御する制御部Ｃと、指針を駆動する運針機構Ｄと、制御部Ｃからの制御信号に基づいて運針機構Ｄを駆動する駆動部Ｅと、を備えて構成されている。
【００２９】
　この場合において、制御部Ｃは、発電部Ａの発電状態に応じて、運針機構Ｄを駆動して時刻表示を行う表示モードと、運針機構Ｄへの給電を停止して電力を節電する節電モードとを切り換えるようになっている。また、節電モードから表示モードへの移行は、ユーザが計時装置１を手に持ってこれを振ることによって、強制的に移行されるようになっている。
【００３０】
　以下、各構成部分について説明する。なお、制御部Ｃについては機能ブロックを用いて後述する。
　まず、発電部Ａは、大別すると、発電装置４０と、ユーザの腕の動きなどを捉えて装置内で旋回し、運動エネルギーを回転エネルギーに変換する回転錘４５と、回転錘の回転を発電に必要な回転数に変換（増速）して発電装置４０側に伝達する増速用ギア４６と、を備えている。
　発電装置４０は、回転錘４５の回転が増速用ギア４６を介して発電用ロータ４３に伝達され、発電用ロータ４３が発電用ステータ４２の内部で回転することにより、発電用ステータ４２に接続された発電コイル４４に誘起された電力を外部に出力する電磁誘導型の交流発電装置として機能している。
　したがって、発電部Ａは、使用者の生活に関連したエネルギーを利用して発電を行い、その電力を用いて計時装置１を駆動できるようになっている。
【００３１】
　次に、電源部Ｂは、整流回路として作用するダイオード４７と、大容量コンデンサ４８と、昇降圧回路４９と、を備えて構成されている。
　昇降圧回路４９は、複数のコンデンサ４９ａ、４９ｂおよび４９ｃを用いて多段階の昇圧および降圧ができるようになっており、制御部Ｃからの制御信号φ１１によって駆動部Ｅに供給する電圧を調整することができる。
【００３２】
　また、昇降圧回路４９の出力電圧はモニタ信号φ１２によって制御部Ｃにも供給されており、これによって出力電圧をモニタできると共に、出力電圧の微小な増減によって発電部Ａが発電を行っているか否かを制御部Ｃにより判断できるようにしている。ここで、電源部Ｂは、ＶＤＤ（高電位側）を基準電位（ＧＮＤ）に取り、ＶＴＫＮ（低電位側）を電源電圧として生成している。
　上記説明では、昇降圧回路４９の出力電圧をモニタ信号φ１２を介してモニタすることにより発電検出を行っているが、昇降圧回路を設けない回路構成においては、低電位側電源電圧ＶＴＫＮを直接モニタすることによっても発電検出を行うことが可能である。
【００３３】
　次に運針機構Ｄについて説明する。運針機構Ｄに用いられているステッピングモータ１０は、パルスモータ、ステッピングモータ、階動モータあるいはデジタルモータなどとも称され、デジタル制御装置のアクチュエータとして多用されている、パルス信号によって駆動されるモータである。近年、携帯に適した小型の電子装置あるいは情報機器用のアクチュエータとして小型、軽量化されたステッピングモータが多く採用されている。このような電子装置の代表的なものが電子時計、時間スイッチ、クロノグラフといった計時装置である。
【００３４】
　本例のステッピンダモータ１０は、駆動部Ｅから供給される駆動パルスによって磁力を発生する駆動コイル１１と、この駆動コイル１１によって励磁されるステータ１２と、さらに、ステータ１２の内部において励磁される磁界により回転するロータ１３を備えている。また、ステッピングモータ１０は、ロータ１３がディスク状の２極の永久磁石によって構成されたＰＭ型（永久磁石回転型）で構成されている。ステータ１２には、駆動コイル１１で発生した磁力によって異なった磁極がロータ１３の回りのそれぞれの相（極）１５および１６に発生するように磁気飽和部１７が設けられている。また、ロータ１３の回転方向を規定するために、ステータ１２の内周の適当な位置には内ノッチ１８が設けられており、コギングトルクを発生させてロータ１３が適当な位置に停止するようにしている。
ステッピングモータ１０のロータ１３の回転は、かなを介してロータ１３に噛合された五番車５１、四番車５２、三番車５３、二番車５４、日の裏車５５および筒車５６からなる輪列５０によって各針に伝達される。四番車５２の軸には秒針６１が接続され、二番車５４には分針６２が接続され、さらに、筒車５６には時針６３が接続されている。ロータ１３の回転に連動してこれらの各針によって時刻が表示される。輪列５０には、さらに、年月日などの表示を行うための伝達系など（不図示）を接続することももちろん可能である。
【００３５】
　次に、駆動部Ｅは制御部Ｃの制御の基にステッピングモータ１０に様々な駆動パルスを供給する。より詳細には、制御部Ｃからそれぞれのタイミングで極性およびパルス幅の異なる制御パルスを印加することにより、駆動コイル１１に極性の異なる駆動パルスを供給したり、あるいは、ロータ１３の回転検出用および磁界検出用の誘起電圧を励起する検出用のパルスを供給することができるようになっている。
【００３６】
［１．２］制御系の機能構成
　次に図２を参照して第１実施形態の制御系の機能構成について説明する。
　図２において、符号Ａ〜Ｅは、図１に示した発電部Ａ、電源部Ｂ、制御部Ｃ、運針機構Ｄおよび駆動部Ｅにそれぞれ対応している。
　計時装置１は、交流発電を行う発電部１０１と、発電部１０１の発電電圧ＳＫに基づいて充電検出を行い充電検出結果信号ＳＡを出力する充電検出回路１０２と、発電部１０１から出力される交流電流を整流して直流電流に変換する整流回路１０３と、整流回路１０３から出力される直流電流により蓄電する蓄電装置１０４と、蓄電装置１０４に蓄えられた電気エネルギーにより動作し、計時制御を行うべく通常モータ駆動パルス信号ＳＩを出力するとともに、発電機交流磁界検出の検出タイミングを指示するための発電機交流磁界検出タイミング信号ＳＢを出力する計時制御回路１０５と、を備えて構成されている。
【００３７】
　また、計時装置１は、充電検出結果信号ＳＡ及び発電交流磁界検出タイミング信号ＳＢに基づいて発電機交流磁界検出を行い、発電機交流磁界検出結果信号ＳＣを出力する発電機交流磁界検出回路１０６と、発電機交流磁界検出結果信号ＳＣに基づいて通常モータ駆動パルスのデューティダウンを制御するための通常モータ駆動パルスデューティダウン信号ＳＨを出力するデューティダウン用カウンタ１０７と、発電機交流磁界検出結果信号ＳＣに基づいて補正駆動パルス信号ＳＪを出力するか否かを判別し、必要に応じて補正駆動パルス信号ＳＪを出力する補正駆動パルス出力回路１０８と、を備えて構成されている。
【００３８】
　さらに、計時装置１は、通常モータ駆動パルス信号ＳＩあるいは補正駆動パルス信号ＳＪに基づいてパルスモータ１０を駆動するためのモータ駆動パルス信号ＳＬを出力するモータ駆動回路１０９と、モータ駆動回路１０９から出力される誘起電圧信号ＳＤに基づいて高周波磁界を検出して高周波磁界検出結果信号ＳＥを出力する高周波磁界検出回路１１０と、モータ駆動回路１０９から出力される誘起電圧信号ＳＤに基づいて交流磁界を検出し交流磁界検出結果信号ＳＦを出力する交流磁界検出回路１１１と、モータ駆動回路１０９から出力される誘起電圧信号ＳＤに基づいてモータ１０が回転したか否かを検出し、回転検出結果信号ＳＧを出力する回転検出回路１１２と、発電機交流磁界検出回路１０６から出力される発電機交流磁界検出結果信号ＳＣに基づいて回転検出制御信号ＳＭを出力する回転検出制御回路１１３と、を備えて構成されている。
　この場合において、高周波磁界とは、家電製品におけるスイッチのオン／オフ時や、電気毛布の温度コントローラの差動により発生する電磁ノイズの様なスパイク状の電磁ノイズであり不定期に発生するものをいう。
　また、交流磁界とは商用電源で作動する家電製品などから発生する５０［Ｈｚ］あるいは６０［Ｈｚ］の磁界などの他、シェーバなどのモータの回転に伴って発生する数百〜数ｋＨｚの磁界をいう。
【００３９】
［１．３］モータ駆動回路および回転検出回路周辺の構成
　図３にモータ駆動回路および回転検出回路周辺の回路構成例を示す。
　モータ駆動回路１０９は、通常モータ駆動パルス信号ＳＩに基づいてオン／オフ制御されるＰチャネルの第１トランジスタＱ１と、通常モータ駆動パルス信号ＳＩに基づいてオン／オフ制御されるＰチャネルの第２トランジスタＱ２と、通常モータ駆動パルス信号ＳＩに基づいてオン／オフ制御されるＮチャネルの第３トランジスタＱ３と、通常モータ駆動パルス信号ＳＩに基づいてオン／オフ制御されるＮチャネルの第４トランジスタＱ４と、を備えて構成されている。
【００４０】
　この場合において、通常モータ駆動パルス信号ＳＩに基づいて第１トランジスタＱ１および第４トランジスタＱ４は同時にオンあるいは同時にオフされる。
　また、通常モータ駆動パルス信号ＳＩに基づいて第２トランジスタＱ２および第３トランジスタＱ３は同時にオンあるいは同時にオフされるとともに、第１トランジスタＱ１および第４トランジスタＱ４とはオン／オフ状態が逆状態となる。
　また、モータ駆動回路１０９は、回転検出用パルス信号ＳＮに基づいてモータ１０に発生する誘起電圧の電圧レベルを制御するための誘起電圧制御部１０９Ａ、１０９Ｂと、回転検出用パルス信号ＳＮに基づいて誘起電圧制御部１０９Ａに高電位側電源ＶＤＤを接続するＰチャネルのトランジスタＱ５と、回転検出用パルス信号ＳＮに基づいて誘起電圧制御部１０９Ｂに高電位側電源ＶＤＤを接続するＰチャネルのトランジスタＱ６と、を備えて構成されている。
　さらに回転検出回路１１２は、パルスモータ１０の図示しないモータコイルが第１の方向に回転する場合に回転検出を行う回転検出回路部１１２Ａと、パルスモータ１０の図示しないモータコイルが第１の方向とは逆の第２の方向に回転する場合に回転検出を行う回転検出回路部１１２Ｂと、を備えて構成されている。
【００４１】
　ここで、図４を参照して誘起電圧制御部１０９Ａおよび誘起電圧制御部１０９Ｂについて説明するが、誘起電圧制御部１０９Ａおよび誘起電圧制御部１０９Ｂは同一構成であるので、図４には、誘起電圧制御部１０９Ａのみを図示している。
　誘起電圧制御部１０９Ａは、一端がトランジスタＱ５のドレインＤに接続され、回転検出制御信号ＳＭに基づいて回転検出用パルス信号ＳＮの入力期間（入力タイミング）において閉状態（オン状態）となるスイッチＳＷと、一端がトランジスタＱ５のドレインＤに接続され、他端がモータ１０の一方の入力端子に接続された第１抵抗Ｒ１（＝回転検出インピーダンス素子）と、一端がスイッチＳＷの他端に接続され、他端が第１抵抗Ｒ１とモータ１０の入力端子との間に接続された第２抵抗Ｒ２（＝回転検出インピーダンス素子）と、を備えて構成されている。
【００４２】
［１．４］計時装置の動作
　次に図５の処理フローチャートを参照して計時装置１の動作を説明する。
　まず、計時装置１のリセットタイミングあるいは前回の駆動パルス出力から１秒経過したか否かを判別する（ステップＳ１０）。
　ステップＳ１０の判別において、１秒が経過していない場合には、駆動パルスを出力すべきタイミングではないので、待機状態となる。
　ステップＳ１０の判別において、１秒が経過した場合には、充電検出回路１０２において発電部１０１の発電に伴う充電が検出されたか否かを判別する（ステップＳ１１）。
　ステップＳ１１の判別において充電が検出された場合には（ステップＳ１１；Ｙｅｓ）、回転検出時に誘起電圧制御部１０９Ａおよび誘起電圧制御部１０９Ｂにおいて、インピーダンスを低くするための回転検出制御を行い（ステップＳ３０）、処理をステップＳ１４に移行する。より具体的には、回転検出制御信号ＳＭによりスイッチＳＷをオン状態とすることにより、第１抵抗Ｒ１と第２抵抗Ｒ２とを並列接続することにより、第１抵抗Ｒ１および第２抵抗Ｒ２の合成抵抗のインピーダンス（抵抗値）が第１抵抗Ｒ１のインピーダンス（抵抗値）よりも低くなるように制御した後、処理をステップＳ１４に移行する。
　ステップＳ１１の判別において、充電が検出されなかった場合には（ステップＳ１１；Ｎｏ）、高周波磁界検出用パルス信号ＳＰ０の出力中に高周波磁界が検出されたか否かを判別する（ステップＳ１２）。
【００４３】
［１．４．１］高周波磁界検出用パルスＳＰ０の出力中に高周波磁界が検出された場合の処理
　ステップＳ１２の判別において、高周波磁界検出用パルス信号ＳＰ０の出力中に高周波磁界が検出された場合には（ステップＳ１２；Ｙｅｓ）、高周波磁界検出用パルスＳＰ０の出力を停止する（ステップＳ２３）。
　続いて、交流磁界検出用パルスＳＰ１１及び交流磁界検出用パルスＳＰ１２の出力を停止し（ステップＳ２４）、通常駆動モータパルスＫ１１の出力を停止し（ステップＳ２５）、回転検出用パルスＳＰ２の出力を停止する（ステップＳ２６）。
　次に補正駆動パルスＰ２＋Ｐｒを出力する（ステップＳ２７）。この場合において、実体的にパルスモータ１０を駆動するのは補正駆動パルスＰ２であり、補正駆動パルスＰｒは、駆動後のロータの回転後の振動を抑制して安定状態に素早く移行させるためのものである。
　そして補正駆動パルスＰ２＋Ｐｒの印加に伴う残留磁束をうち消すため、補正駆動パルスＰ２＋Ｐｒの極性とは逆極性の消磁パルスＰＥを出力する（ステップＳ２８）。
続いて、パルス幅制御処理において、通常駆動パルスＫ１１のデューティ比を最も消費電力が少なく、かつ、補正駆動パルスＰ２＋Ｐｒが出力されないように設定する（ステップＳ２９）。
そして再び処理をステップＳ１０に移行し、同様の処理を繰り返すこととなる。
【００４４】
［１．４．２］高周波磁界が検出されず、交流磁界検出用パルスＳＰ１１または交流磁界検出用パルスＳＰ１２の出力中に交流磁界が検出された場合の処理
　ステップＳ１２の判別において、高周波磁界検出用パルス信号ＳＰ０の出力中には高周波磁界が検出されなかった場合には（ステップＳ１２；Ｎｏ）、交流磁界検出用パルスＳＰ１１または交流磁界検出用パルスＳＰ１２の出力中に交流磁界が検出されたか否かを判別する（ステップＳ１３）。
　ステップＳ１３の判別において、交流磁界検出用パルスＳＰ１１または交流磁界検出用パルスＳＰ１２の出力中に交流磁界が検出された場合には（ステップＳ１３；Ｙｅｓ）、交流磁界検出用パルスＳＰ１１及び交流磁界検出用パルスＳＰ１２の出力を停止し（ステップＳ２４）、通常駆動モータパルスＫ１１の出力を停止し（ステップＳ２５）、回転検出用パルスＳＰ２の出力を停止する（ステップＳ２６）。 次に補正駆動パルスＰ２＋Ｐｒを出力する（ステップＳ２７）。
　そして補正駆動パルスＰ２＋Ｐｒの印加に伴う残留磁束をうち消すため、補正駆動パルスＰ２＋Ｐｒの極性とは逆極性の消磁パルスＰＥを出力する（ステップＳ２８）。
続いて、通常駆動パルスＫ１１のデューティ比を最も消費電力が少なく、かつ、補正駆動パルスＰ２＋Ｐｒが出力されないように設定する（ステップＳ２９）。
そして再び処理をステップＳ１０に移行し、同様の処理を繰り返すこととなる。
【００４５】
［１．４．３］交流磁界検出用パルスＳＰ１１または交流磁界検出用パルスＳＰ１２の出力中に交流磁界が検出されなかった場合の処理
　ステップＳ１３の判別において、交流磁界検出用パルスＳＰ１１または交流磁界検出用パルスＳＰ１２の出力中に交流磁界が検出されなかった場合には（ステップＳ１３；Ｎｏ）、通常駆動パルスＫ１１を出力する（ステップＳ１４）。
そして、パルスモータの回転が検出されたか否かを判別する（ステップＳ１５）。
【００４６】
［１．４．４］回転非検出時の動作
　ステップＳ１５の判別において、パルスモータの回転が検出されなかった場合には、パルスモータが回転していないことは確実であるので、補正駆動パルスＰ２＋Ｐｒを出力する（ステップＳ２７）。
　そして補正駆動パルスＰ２＋Ｐｒの印加に伴う残留磁束をうち消すため、補正駆動パルスＰ２＋Ｐｒの極性とは逆極性の消磁パルスＰＥを出力する（ステップＳ２８）。
続いて、通常駆動パルスＫ１１のデューティ比を最も消費電力が少なく、かつ、補正駆動パルスＰ２＋Ｐｒが出力されないように設定する（ステップＳ２９）。
　そして再び処理をステップＳ１１に移行し、同様の処理を繰り返すこととなる。
【００４７】
［１．４．５］回転検出時の動作
　ステップＳ１１の判別において、充電検出がされた場合（ステップＳ１１；Ｙｅｓ）、回転検出回路を選択し（ステップＳ３０）、通常駆動パルスＫ１１を出力する（ステップＳ１４）。
　次にステップＳ１５の判別において、パルスモータの回転が検出された場合には、パルスモータが回転したとみなして、回転検出用パルスＳＰ２の出力を停止する（ステップＳ１６）。
　続いて充電検出回路１０２により蓄電装置１０４を充電可能な発電が検出されているか否かを判別する（ステップＳ１７）。
【００４８】
［１．４．５．１］通常駆動パルス出力後の発電検出時の動作
　ステップＳ１７の判別において、充電検出回路１０２により蓄電装置１０４を充電可能な発電が検出された場合には（ステップＳ１７；Ｙｅｓ）、通常モータ駆動パルスＫ１１の実効電力を低下させるべくデューティ比を低下させるためのデューティダウンカウンタをリセット（あらかじめ定めた初期デューティダウンカウンタ値に設定）あるいは、デューティダウンカウンタのカウントダウンを停止する（ステップＳ１９）。
　次に上述した補正駆動パルスＰ２＋Ｐｒを出力する（ステップＳ２０）、このときの補正駆動パルスはＰ２＋Ｐｒよりも実効電力の大きな補正駆動パルスＰ３＋Ｐｒ'を出力してもよい。
【００４９】
　また、この補正駆動パルスＰ３＋Ｐｒ'の出力タイミングは、補正駆動パルスＰ２＋Ｐｒの出力タイミングとは異なる予め定めたタイミングで出力してもよい。ステップＳ１５において、パルスモータが正しく回転したと判断されたにも拘わらず、ステップＳ１７において発電検出がされた場合に補正駆動パルスを出力するのは、ステップＳ１４の通常駆動パルス出力後に発電が行われた場合に、ステップＳ１５における回転検出が正しく行われたか否かの判断がつかず、誤検出の可能性があるからである。
　次に補正駆動パルスＰ３＋Ｐｒ'の印加に伴う残留磁束をうち消すため、補正駆動パルスＰ３＋Ｐｒ'の極性とは逆極性の消磁パルスＰＥ'を出力する（ステップＳ２１）。
消磁パルスＰＥ'の出力終了後には、デューティダウンカウンタのカウントを再開し（ステップＳ２２）、通常駆動パルスＫ１１のデューティ比を最も消費電力が少なく、かつ、補正駆動パルスＰ２＋Ｐｒ及び補正駆動パルスＰ３＋Ｐｒ'が出力されないように設定する。
　そして再び処理をステップＳ１０に移行し、同様の処理を繰り返すこととなる。
【００５０】
［１．４．５．２］発電非検出時の動作
　ステップＳ１７の判別において、発電検出回路１０２により蓄電装置１０４を充電可能な発電が検出されなかった場合には（ステップＳ１７；Ｎｏ）、パルス幅制御処理において、通常駆動パルスＫ１１のデューティ比を最も消費電力が少なく、かつ、補正駆動パルスＰ２＋Ｐｒが出力されないように設定する（ステップＳ１８）。
　そして再び処理をステップＳ１０に移行し、同様の処理を繰り返すこととなる。
【００５１】
［１．５］具体的動作例
　次に第１実施形態の具体的動作例について図６のタイミングチャートを参照して説明する。
　時刻ｔ１において、発電機交流磁界検出タイミング信号ＳＢが"Ｈ"レベルとなると、高周波磁界検出用パルスＳＰ０がモータ駆動回路からパルスモータ１０に出力される。
そして時刻ｔ２において、第１の極性を有する交流磁界検出用パルスＳＰ１１がモータ駆動回路からパルスモータ１０に出力される。
　このとき、発電部１０１の発電電圧が高電位側電圧ＶＤＤを上回ると、充電検出回路１０２から出力される充電検出結果信号ＳＡは"Ｈ"レベル、発電機交流磁界検出結果信号ＳＣは"Ｈ"レベルとなる。
その後、時刻ｔ３において、第１の極性とは逆極性の第２の極性を有する交流磁界検出用パルスＳＰ１２が出力され、時刻ｔ４において、通常モータ駆動パルスＫ１１の出力が開始される。
【００５２】
　その後、時刻ｔ５において、発電機交流磁界検出結果信号ＳＣは、いまだ"Ｈ"レベルであるので、回転検出制御回路１１３は、回転検出制御信号ＳＭを"Ｈ"レベルとする。
この結果、誘起電圧制御部１０９Ａおよび誘起電圧制御部１０９Ｂは、回転検出制御信号ＳＭに基づいて回転検出用パルス信号ＳＮの入力期間（入力タイミング）、すなわち、回転検出用パルスＳＰ２の入力期間を含む所定期間（図６中、時刻ｔ５〜時刻ｔ１０）においてスイッチＳＷを閉状態（オン状態）とする。
【００５３】
　この結果、誘起電圧制御部１０９Ａおよび誘起電圧制御部１０９Ｂにおいて、インピーダンスが低くなり、回転検出回路１１２に入力される誘起電圧レベルは非回転側にシフトされることとなり、ノイズの影響を低減することができる。
その後、時刻ｔ６において、発電部１０１の発電電圧が高電位側電圧ＶＤＤを下回ると、充電検出回路１０２から出力される充電検出結果信号ＳＡは"Ｌ"レベルとなる。
これに伴い、時刻ｔ７において、発電機交流磁界検出結果信号ＳＣは"Ｌ"レベルとなり、回転検出パルスＳＰ２の出力も完了する。
【００５４】
　上述したように時刻ｔ１〜時刻ｔ２の期間において高周波磁界が検出され、時刻ｔ２〜時刻ｔ４の期間において交流磁界が検出され、あるいは、時刻ｔ５〜時刻ｔ７の期間において回転が検出されなかった場合には、通常駆動パルスＫ１１の出力開始タイミング（＝時刻ｔ４に相当）から予め定めた所定時間が経過した時刻ｔ８において、通常駆動パルスＫ１１よりも実効電力の大きな実効電力を有する補正駆動パルスＰ２＋Ｐｒが出力される。
　これにより、パルスモータ１０は確実に駆動されることとなる。
【００５５】
　そして、補正駆動パルスＰ２＋Ｐｒが出力された場合には、さらに時刻ｔ９において、補正駆動パルスＰ２＋Ｐｒの印加に伴う残留磁束をうち消すため、補正駆動パルスＰ２＋Ｐｒの極性とは逆極性の消磁パルスＰＥの出力が開始される。
　ここで、時刻ｔ９は、次の外部磁界検出タイミング（次の高周波磁界検出パルスＳＰ０の出力タイミング）の直前とされている。
　このときに出力される消磁パルスＰＥのパルス幅はロータが回転しない程度の狭（短）パルスであり、さらなる消磁効果を上げるべく、複数（図６では、３パルス）の間欠パルスとしている。
　そして時刻ｔ１０においては、発電機交流磁界検出結果信号ＳＣ"Ｌ"レベルとなり、消磁パルスＰＥの出力は終了する。
【００５６】
　これと並行して、回転検出制御信号ＳＭも"Ｌ"レベルとなり、誘起電圧制御部１０９Ａおよび誘起電圧制御部１０９ＢにおけるスイッチＳＷは開状態（オフ状態）となり、誘起電圧制御部１０９Ａおよび誘起電圧制御部１０９Ｂのインピーダンスは、通常駆動時に相当する高インピーダンスとなる。
以上の説明のように、回転検出期間（時刻ｔ５〜ｔ７）においては、回転検出パルスＳＰ２の入力に伴ってパルスモータ１０に発生する誘起電圧レベルを非回転側にシフトしている。
　従って、発電部１０１の発電に伴う発電電流、ひいては、蓄電装置１０４の充電を行う際の充電電流に伴って発生する電圧ノイズが誘起電圧に重畳されても、パルスモータ１０の非回転状態を回転状態であると誤検出することを抑制することができる。
この結果、パルスモータ１０を確実に駆動することが可能となる。
【００５７】
［１．６］第１実施形態の効果
　以上の説明のように本第１実施形態によれば、回転検出回路の回転検出期間において充電が検出された場合は、回転検出パルスの入力に伴ってパルスモータに発生する誘起電圧レベルを非回転側にシフトするので、パルスモータの非回転状態を回転状態であると誤検出するのを抑制することができる。
　この結果、パルスモータの確実な回転を確保することが可能となり、計時装置においては、正確な時刻表示を行うことが可能となる。
【００５８】
［１．７］第１実施形態の変形例
［１．７．１］第１変形例
　上記第１実施形態の説明においては、誘起電圧制御部１０９Ａおよび誘起電圧制御部１０９Ｂは、回転検出制御信号ＳＭによりスイッチＳＷをオン状態とすることにより、第１抵抗Ｒ１と第２抵抗Ｒ２とを並列接続することにより、第１抵抗Ｒ１および第２抵抗Ｒ２の合成抵抗のインピーダンス（抵抗値）が第１抵抗Ｒ１のインピーダンス（抵抗値）よりも低くなるように制御していた。
　これに対し、本第１変形例の誘起電圧制御部１０９Ａ'は、図７に示すように、第１抵抗Ｒ１'と第２抵抗Ｒ２'とを直列接続し、回転検出制御信号ＳＭによりスイッチＳＷ'をオン状態とすることにより、第２抵抗Ｒ２'の端子を短絡状態とする。
これにより、回転検出回路１１２が回転非検出状態におけるインピーダンス（＝Ｒ１'＋Ｒ２'）よりも、回転検出状態におけるインピーダンス（＝Ｒ１）が低くなるように制御するものである。
　この第１変形例の構成においても、第１実施形態と同様の効果を得ることができる。
【００５９】
［１．７．２］第２変形例
　上記第１実施形態の説明および第１変形例のにおいては、抵抗を合成するか否かによりインピーダンスの制御を行っていたが、複数のインピーダンス素子（抵抗）からいずれか一または複数のインピーダンス素子を選択的に接続するようにすることも可能である。
【００６０】
［１．７．３］第３変形例
　上記第１実施形態および各変形例においては、インピーダンスそのものを制御していたが、上記各インピーダンス素子には、回転検出パルスに伴うチョッパ電流が流れるので、図８に示すように、第１変形例の第２抵抗Ｒ２'に代えて、ダイオードＤ１等の電圧降下素子を抵抗Ｒ１'に直列接続し、回転検出制御信号ＳＭによりスイッチＳＷ"をオン状態とすることにより、ダイオードＤ１の端子を短絡状態とする。
　これにより、回転検出回路１１２が回転非検出状態における誘起電圧レベルよりも、回転検出状態における誘起電圧レベルがダイオードＤ１の電圧降下分低くなるように制御するものである。
　この第３変形例の構成においても、第１実施形態と同様の効果を得ることができる。
【００６１】
［２］第２実施形態
　上記第１実施形態は、回転検出回路におけるパルスモータの回転検出期間中は、回転検出用パルスの入力に伴う誘起電圧レベルを誘起電圧検出用検出素子のインピーダンスを低下させることにより非回転検出側にシフトする実施形態であったが、本第２実施形態は、回転検出用パルスのデューティ制御を行うことにより誘起電圧レベルを非回転検出側にシフトする実施形態である。
【００６２】
［２．１］第２実施形態の原理
　まず、転検出用パルスの入力に伴うパルスモータの検出電圧（誘起電圧）と回転検出用パルスのデューティ比［％］との関係を示す。
　図９において、符号Ｖｔｈは、パルスモータが回転しているか否かを判別するための回転基準電圧である。
　図９に示すように、パルスモータの検出電圧（誘起電圧）は、回転検出用パルスのデューティ比５０［％］（＝１／２）近傍にピークが存在する。
　ところで、検出電圧（誘起電圧）が回転時検出電圧曲線ＬＡおよび非発電時における非回転時検出電圧曲線ＬＣに示すような状態であれば、回転基準電圧Ｖｔｈにより回転／非回転を容易に識別することが可能である。
【００６３】
　一方、発電中における非回転時検出電圧曲線ＬＢに示すように、発電に伴う漏れ磁束により検出電圧（誘起電圧）は、高レベル側（回転検出側）にシフトすることとなる。
　この結果、パルスモータは回転していないにも拘わらず、回転状態と検出され、計時装置の場合には、表示時刻の遅れが生じることとなる。
　そこで、本第２実施形態においては、誤検出を低減すべく、回転検出期間中においては、デューティ比を通常駆動時よりも低くあるいは高く設定している。
より具体的には、通常駆動時のデューティ比を５０［％］（＝１／２）に対して、回転検出期間中のデューティ比を２５［％］（＝１／４）あるいは７５［％］（＝３／４）等に設定することにより検出電圧を低レベル側（非回転検出側）にシフトさせ、誤検出を抑制している。
【００６４】
［２．２］制御系の機能構成
　次に図１０を参照して第２実施形態の制御系の機能構成について説明する。
図１０において、符号Ａ〜Ｅは、図１に示した発電部Ａ、電源部Ｂ、制御部Ｃ、運針機構Ｄおよび駆動部Ｅにそれぞれ対応している。
　計時装置１は、交流発電を行う発電部１０１と、発電部１０１の発電電圧ＳＫに基づいて充電検出を行い充電検出結果信号ＳＡを出力する充電検出回路１０２と、発電部１０１から出力される交流電流を整流して直流電流に変換する整流回路１０３と、整流回路１０３から出力される直流電流により蓄電する蓄電装置１０４と、蓄電装置１０４に蓄えられた電気エネルギーにより動作し、計時制御を行うべく通常モータ駆動パルスＳＩおよび回転検出に用いる回転検出用パルス信号ＳＮを出力するとともに、発電機交流磁界検出の検出タイミングを指示するための発電機交流磁界検出タイミング信号ＳＢを出力する計時制御回路１０５と、を備えて構成されている。
【００６５】
　また、計時装置１は、発電検出結果信号ＳＡ及び発電交流磁界検出タイミング信号ＳＢに基づいて発電機交流磁界検出を行い、発電機交流磁界検出結果信号ＳＣを出力する発電機交流磁界検出回路１０６と、発電機交流磁界検出結果信号ＳＣに基づいて通常モータ駆動パルスのデューティダウンを制御するための通常モータ駆動パルスデューティダウン信号ＳＨを出力するデューティダウン用カウンタ１０７と、発電機交流磁界検出結果信号ＳＣに基づいて補正駆動パルスＳＪを出力するか否かを判別し、必要に応じて補正駆動パルスＳＪを出力する補正駆動パルス出力回路１０８と、を備えて構成されている。
【００６６】
　さらに、計時装置１は、通常モータ駆動パルスＳＩあるいは補正駆動パルス信号ＳＪに基づいてパルスモータ１０を駆動するためのモータ駆動パルス信号ＳＬを出力するモータ駆動回路１０９と、モータ駆動回路１０９から出力される誘起電圧信号ＳＤに基づいて高周波磁界を検出して高周波磁界検出結果信号ＳＥを出力する高周波磁界検出回路１１０と、モータ駆動回路１０９から出力される誘起電圧信号ＳＤに基づいて交流磁界を検出し交流磁界検出結果信号ＳＦを出力する交流磁界検出回路１１１と、計時制御回路１０５から出力される回転検出用パルス信号ＳＮおよびモータ駆動回路１０９から出力される誘起電圧信号ＳＤに基づいてモータ１０が回転したか否かを検出し、回転検出結果信号ＳＧを出力する回転検出回路１１２と、発電機交流磁界検出回路１０６から出力される発電機交流磁界検出結果信号ＳＣに基づいて回転検出制御信号ＳＭを計時制御回路１０５に出力する回転検出制御回路１１３Ａと、を備えて構成されている。
【００６７】
［２．３］具体的動作
　第２実施形態の概要動作は第１実施形態と同様であるので、その詳細な説明は省略するとともに、具体的動作について回転検出制御回路１１３Ａの動作を主として説明する。
　図１１に第２実施形態のタイミングチャートを示す。
　図１１（ａ）は、充電検出回路１０２において、充電が検出されていない場合の回転検出制御信号ＳＭおよび回転検出用パルス信号ＳＮを示すタイミングチャートである。
　図１１（ａ）に示すように、回転検出制御信号ＳＭが"Ｌ"レベルである、非充電検出状態においては、回転検出用パルス信号ＳＮの周期はｔ１であり、デューティ比５０［％］（＝１／２）となっている。
【００６８】
　この結果、パルスモータ回転時には、図９に示したデューティ比５０［％］における回転時検出電圧曲線ＬＡに対応する検出電圧が得られ、パルスモータ非回転時には、図９に示したデューティ比５０［％］における非回転時検出電圧曲線ＬＣに対応する検出電圧が得られることとなる。
　この結果、容易に回転／非回転を検出することができる。
　これに対し、図１１（ｃ）に示すように、回転検出制御信号ＳＭが"Ｈ"レベルである、充電検出状態においては、回転検出用パルス信号ＳＮの周期はｔ１であるが、デューティ比７５［％］（＝３／４）となっている。
　この結果、パルスモータ回転時には、図９に示したデューティ比７５［％］における回転時検出電圧曲線ＬＡに対応する検出電圧が得られ、パルスモータ非回転時には、図９に示したデューティ比７５［％］における非回転時検出電圧曲線ＬＢに対応する検出電圧が得られることとなる。
【００６９】
　これらの結果、この場合においても、容易に回転／非回転を検出することができる。
なお、以上の説明においては、デューティ比を通常駆動時よりも回転検出期間中高く設定する場合について説明したが、回転時と非回転時とで明確に識別できるものであれば、低く設定することも可能である。
【００７０】
［２．４］第２実施形態の効果
　以上の説明のように本第２実施形態によれば、回転検出回路の回転検出期間においては、デューティデューティ比を通常駆動時よりも低くあるいは高く設定することにより回転検出パルスの入力に伴ってパルスモータに発生する誘起電圧レベルを非回転側にシフトするので、パルスモータの非回転状態を回転状態であると誤検出するのを抑制することができる。
　この結果、パルスモータの確実な回転を確保することが可能となり、計時装置においては、正確な時刻表示を行うことが可能となる。
【００７１】
［２．５］変形例
　以上の第２実施形態の説明においては、回転検出回路の回転検出期間においては、デューティデューティ比を通常駆動時よりも低くあるいは高く設定する場合について説明したが、図１１（ｂ）に示すように、回転検出回路の回転検出期間においてデューティ比を一定として回転検出パルスの周期ｔ２を通常駆動時の回転検出パルスの周期ｔ１よりも短くしても同様の効果を得ることができる。
　換言すれば、デューティ比を一定として回転検出パルスの周波数を通常時よりも高く設定すれば、チョッパ増幅の増幅率を下げることができ、同様の効果を得ることが可能となる。
　より具体的には、回転検出パルスの周波数を通常時に１［ｋＨｚ］としている場合に、回転検出回路の回転検出期間において回転検出パルスの周波数を２［ｋＨｚ］とすればよい。
【００７２】
［３］第３実施形態
　上記第１実施形態および第２実施形態においては、回転検出回路におけるパルスモータの回転検出期間中は、回転検出用パルスの入力に伴う誘起電圧レベルを非回転検出側にシフトする実施形態であったが、本第３実施形態は、誘起電圧レベルをそのままとし、回転基準電圧（第２実施形態における回転基準電圧Ｖｔｈ）の電圧レベルを回転検出側にシフトすることにより同様の効果を得る場合の実施形態である。
【００７３】
［３．１］制御系の機能構成
　次に図１２を参照して第３実施形態の制御系の機能構成について説明する。
図１２において、符号Ａ〜Ｅは、図１に示した発電部Ａ、電源部Ｂ、制御部Ｃ、運針機構Ｄおよび駆動部Ｅにそれぞれ対応している。
　計時装置１は、交流発電を行う発電部１０１と、発電部１０１の発電電圧ＳＫに基づいて充電検出を行い充電検出結果信号ＳＡを出力する充電検出回路１０２と、発電部１０１から出力される交流電流を整流して直流電流に変換する整流回路１０３と、整流回路１０３から出力される直流電流により蓄電する蓄電装置１０４と、蓄電装置１０４に蓄えられた電気エネルギーにより動作し、計時制御を行うべく通常モータ駆動パルス信号ＳＩを出力するとともに、発電機交流磁界検出の検出タイミングを指示するための発電機交流磁界検出タイミング信号ＳＢを出力する計時制御回路１０５と、を備えて構成されている。
【００７４】
　また、計時装置１は、発電検出結果信号ＳＡ及び発電交流磁界検出タイミング信号ＳＢに基づいて発電機交流磁界検出を行い、発電機交流磁界検出結果信号ＳＣを出力する発電機交流磁界検出回路１０６と、発電機交流磁界検出結果信号ＳＣに基づいて通常モータ駆動パルスのデューティダウンを制御するための通常モータ駆動パルスデューティダウン信号ＳＨを出力するデューティダウン用カウンタ１０７と、発電機交流磁界検出結果信号ＳＣに基づいて補正駆動パルス信号ＳＪを出力するか否かを判別し、必要に応じて補正駆動パルス信号ＳＪを出力する補正駆動パルス出力回路１０８と、を備えて構成されている。
【００７５】
　さらに、計時装置１は、通常モータ駆動パルス信号ＳＩあるいは補正駆動パルス信号ＳＪに基づいてパルスモータ１０を駆動するためのモータ駆動パルス信号ＳＬを出力するモータ駆動回路１０９と、モータ駆動回路１０９から出力される誘起電圧信号ＳＤに基づいて高周波磁界を検出して高周波磁界検出結果信号ＳＥを出力する高周波磁界検出回路１１０と、モータ駆動回路１０９から出力される誘起電圧信号ＳＤに基づいて交流磁界を検出し交流磁界検出結果信号ＳＦを出力する交流磁界検出回路１１１と、後述の回転検出制御回路１１３Ｂから出力される回転検出制御信号ＳＭおよびモータ駆動回路１０９から出力される誘起電圧信号ＳＤに基づいてモータ１０が回転したか否かを検出し、回転検出結果信号ＳＧを出力する回転検出回路１１２Ｃと、発電機交流磁界検出回路１０６から出力される発電機交流磁界検出結果信号ＳＣに基づいて回転検出制御信号ＳＭを回転検出回路１１２Ｃに出力する回転検出制御回路１１３Ｂと、を備えて構成されている。
【００７６】
［３．２］回転検出回路
　図１３に回転検出回路１１２Ｃの回路構成ブロック図を示す。
回転検出回路１１２Ｃは、回転検出制御信号ＳＭに基づいて計時制御回路１０５から出力されるサンプリング信号ＳＳＭＰに対応するタイミングで所定の電圧レベルを有する回転検出用基準電圧Ｖｔｈ'を発生し、出力端子Ｖ０から出力する回転検出用基準電圧発生回路１２０と、サンプリング信号ＳＳＭＰがイネーブル端子ＥＮに入力され、サンプリング信号ＳＳＭＰに対応するタイミングで誘起電圧信号ＳＤの電圧レベルと回転検出用基準電圧Ｖｔｈ'の電圧レベルとを比較して回転検出結果信号ＳＧを出力するコンパレータ１２１と、を備えて構成されている。
【００７７】
　図１９に回転検出用基準電圧発生回路１２０の詳細構成図を示す。
　回転検出用基準電圧発生回路１２０は、高電位側電源ＶＤＤと低電位側電源ＶＳＳとの間に直列接続された抵抗Ｒ１１、Ｒ１２、Ｒ１３と、抵抗Ｒ１１と抵抗Ｒ１２との間の接続点に接続され回転検出用基準電圧ＳＧを出力する出力端子Ｖ０と、抵抗Ｒ１２と抵抗Ｒ１３との間の接続点にドレインが接続され、低電位側電源ＶＳＳにソースが接続され、ゲートに回転検出制御信号ＳＭが入力された回転基準電圧切換用トランジスタＴｒ１１と、抵抗Ｒ１３にドレインが接続され、低電位側電源ＶＳＳにソースが接続され、ゲートにサンプリング信号ＳＳＭＰが入力され、サンプリング信号ＳＳＭＰに対応するタイミングでオン状態となって回転検出用基準電圧発生回路１２０を動作状態とするためのスイッチトランジスタＴｒ１２と、を備えて構成されている。
　ここで、回転検出用基準電圧発生回路１２０の動作について図２０を参照して説明する。
低消費電力化のため、回転検出用のコンパレータ１２１および回転検出基準電圧発生回路１２０は、回転検出期間においてサンプリング信号ＳＳＭＰによりサンプリング駆動される。
【００７８】
　より詳細には、図２０において、サンプリング信号ＳＳＭＰは、回転検出用パルスＳＰ２が回転検出期間に移行する"Ｈ"→"Ｌ"遷移タイミングにおいて、"Ｈ"レベルとなり、このサンプリング信号ＳＳＭＰが"Ｈ"レベルとなる期間（図中、斜線部で示す。）において回転検出用基準電圧発生回路１２０は、動作状態となる。
そして、回転検出制御信号ＳＭが"Ｌ"レベルの場合（非回転検出時に相当）には、回転基準電圧切換用トランジスタＴｒ１１がオフ状態となり、このときの回転検出用基準電圧Ｖｔｈ'は（１）式により表される。なお、（１）式および（２）式においては、抵抗Ｒ１１、Ｒ１２、Ｒ１３の抵抗値を便宜上、それぞれＲ１１、Ｒ１２、Ｒ１３とする。
　Ｖｔｈ'＝Ｖｔｈ１' ＝ＶＳＳ×Ｒ１１／（Ｒ１１＋Ｒ１２＋Ｒ１３）……（１）
【００７９】
　また、回転検出制御信号ＳＭが"Ｈ"レベルの場合（回転検出時に相当）には、回転基準電圧切換用トランジスタＴｒ１１がオン状態となり、この時の回転検出用基準電圧Ｖｔｈ'は（２）式により表される。
　Ｖｔｈ'＝Ｖｔｈ２' ＝ＶＳＳ×Ｒ１１／（Ｒ１１＋Ｒ１２） ……（２）
　従って、回転検出制御信号ＳＭが"Ｌ"レベルの場合と"Ｈ"レベルの場合の回転検出用基準電圧Ｖｔｈ１'、Ｖｔｈ２'の関係は、 Ｖｔｈ１'＜Ｖｔｈ２'となっている。
この場合において、回転検出用基準電圧発生回路１２０は、充電検出時に回転検出用基準電圧Ｖｔｈ'の電圧レベルを非充電検出時と比較して回転検出側にシフトすることとなる。
【００８０】
［３．３］具体的動作
　次に第３実施形態の具体的動作例について図１４のタイミングチャートを参照して説明する。
　初期状態において、回転検出用基準電圧Ｖｔｈ'＝ａ［Ｖ］（高電位側電位ＶＤＤ基準）となっているものとする。
　時刻ｔ１において、発電機交流磁界検出タイミング信号ＳＢが"Ｈ"レベルとなると、高周波磁界検出用パルスＳＰ０がモータ駆動回路１０９からパルスモータ１０に出力される。
　そして時刻ｔ２において、第１の極性を有する交流磁界検出用パルスＳＰ１１がモータ駆動回路からパルスモータ１０に出力される。
　このとき、発電部１０１の発電電圧が高電位側電圧ＶＤＤを上回ると、充電検出回路１０２から出力される充電検出結果信号ＳＡは"Ｈ"レベル、発電機交流磁界検出結果信号ＳＣは"Ｈ"レベルとなる。
【００８１】
　その後、時刻ｔ３において、第１の極性とは逆極性の第２の極性を有する交流磁界検出用パルスＳＰ１２が出力され、時刻ｔ４において、通常モータ駆動パルスＫ１１の出力が開始される。
　その後、時刻ｔ５において、発電機交流磁界検出結果信号ＳＣは、いまだ"Ｈ"レベルであるので、回転検出制御回路１１３は、回転検出制御信号ＳＭを"Ｈ"レベルとする。
　この結果、回転検出回路１１２Ｃの回転検出用基準電圧発生回路１２０は、回転検出制御信号ＳＭに基づいて回転検出用基準電圧Ｖｔｈ'の電圧レベルを非充電検出時の電圧レベル＝ａ［Ｖ］と比較して回転検出側にシフトし、回転検出用基準電圧Ｖｔｈ'＝ｂ［Ｖ］（ただし、｜ａ｜＜｜ｂ｜）とする。
　そして、コンパレータ１２１は、誘起電圧信号ＳＤの電圧レベルと、回転検出用基準電圧Ｖｔｈ'の電圧レベル＝ｂ［Ｖ］と、を比較して回転検出結果信号ＳＧを出力する 従って、回転検出回路１１２Ａに入力される誘起電圧レベルは実効的に非回転側にシフトされた場合と等価となり、ノイズの影響を低減することができる。
【００８２】
　その後、時刻ｔ６において、発電部１０１の発電電圧が高電位側電圧ＶＤＤを下回ると、充電検出回路１０２から出力される充電検出結果信号ＳＡは"Ｌ"レベルとなる。
これに伴い、時刻ｔ７において、発電機交流磁界検出結果信号ＳＣは"Ｌ"レベルとなり、回転検出パルスＳＰ２の出力も完了する。
　上述したように時刻ｔ１〜時刻ｔ２の期間において高周波磁界が検出され、時刻ｔ２〜時刻ｔ４の期間において交流磁界が検出され、あるいは、時刻ｔ５〜時刻ｔ７の期間において回転が検出されなかった場合には、通常駆動パルスＫ１１の出力開始タイミング（＝時刻ｔ４に相当）から予め定めた所定時間が経過した時刻ｔ８において、通常駆動パルスＫ１１よりも実効電力の大きな実効電力を有する補正駆動パルスＰ２＋Ｐｒが出力される。
　これにより、パルスモータ１０は確実に駆動されることとなる。
【００８３】
　そして、補正駆動パルスＰ２＋Ｐｒが出力された場合には、さらに時刻ｔ９において、補正駆動パルスＰ２＋Ｐｒの印加に伴う残留磁束をうち消すため、補正駆動パルスＰ２＋Ｐｒの極性とは逆極性の消磁パルスＰＥの出力が開始される。
そして時刻ｔ１０においては、発電機交流磁界検出結果信号ＳＣ"Ｌ"レベルとなり、消磁パルスＰＥの出力は終了する。
　これと並行して、回転検出制御信号ＳＭも"Ｌ"レベルとなり、誘起電圧制御部１０９Ａおよび誘起電圧制御部１０９ＢにおけるスイッチＳＷは開状態（オフ状態）となり、回転検出回路１１２Ａの回転検出用基準電圧発生回路１２０は、回転検出制御信号ＳＭに基づいて回転検出用基準電圧Ｖｔｈ'の電圧レベルを非充電検出時の電圧レベル＝ａ［Ｖ］に再び戻すこととなる。
【００８４】
　以上の説明のように、回転検出期間（時刻ｔ５〜ｔ７）においては、回転検出パルスＳＰ２の入力に伴ってパルスモータ１０に発生する誘起電圧レベルを比較するための回転検出用基準電圧Ｖｔｈ'を回転側にシフトしている。
　従って、発電部１０１の発電に伴う発電電流、ひいては、蓄電装置１０４の充電を行う際の充電電流に伴って発生する電圧ノイズが誘起電圧に重畳されても、パルスモータ１０の非回転状態を回転状態であると誤検出することを抑制することができる。
　この結果、パルスモータ１０を確実に駆動することが可能となる。
【００８５】
［３．４］第３実施形態の効果
　以上の説明のように本第３実施形態によれば、回転検出回路１１２Ｃの回転検出期間においては、回転検出パルスの入力に伴ってパルスモータに発生する誘起電圧レベルを比較するための回転検出用基準電圧を回転側にシフトするので、パルスモータの非回転状態を回転状態であると誤検出するのを抑制することができる。
　この結果、パルスモータの確実な回転を確保することが可能となり、計時装置においては、正確な時刻表示を行うことが可能となる。
【００８６】
［４］第４実施形態
　上記各実施形態においては、回転検出時に発生する誘起電圧と回転検出基準電圧との相対的なレベルをシフトする構成としていたが、本第４実施形態は、パルスモータを構成するロータの非回転時の自由振動を抑制して、非回転時の誘起電圧レベルを抑制することにより、回転／非回転を誘起電圧レベルに応じて容易に識別するための実施形態である。
【００８７】
［４．１］制御系の機能構成
　次に図１５を参照して第４実施形態の制御系の機能構成について説明する。
図１５において、符号Ａ〜Ｅは、図１に示した発電部Ａ、電源部Ｂ、制御部Ｃ、運針機構Ｄおよび駆動部Ｅにそれぞれ対応している。
　計時装置１は、交流発電を行う発電部１０１と、発電部１０１の発電電圧ＳＫに基づいて充電検出を行い充電検出結果信号ＳＡを出力する充電検出回路１０２と、発電部１０１から出力される交流電流を整流して直流電流に変換する整流回路１０３と、整流回路１０３から出力される直流電流により蓄電する蓄電装置１０４と、蓄電装置１０４に蓄えられた電気エネルギーにより動作し、計時制御を行うべく通常モータ駆動パルス信号ＳＩを出力するとともに、発電機交流磁界検出の検出タイミングを指示するための発電機交流磁界検出タイミング信号ＳＢを出力する計時制御回路１０５と、を備えて構成されている。
【００８８】
　また、計時装置１は、発電検出結果信号ＳＡ及び発電交流磁界検出タイミング信号ＳＢに基づいて発電機交流磁界検出を行い、発電機交流磁界検出結果信号ＳＣを出力する発電機交流磁界検出回路１０６と、発電交流磁界検出結果信号ＳＣに基づいて通常モータ駆動パルスのデューティダウンを制御するための通常モータ駆動パルスデューティダウン信号ＳＨを出力するデューティダウン用カウンタ１０７と、発電機交流磁界検出結果信号ＳＣに基づいて補正駆動パルス信号ＳＪを出力するか否かを判別し、必要に応じて補正駆動パルス信号ＳＪを出力する補正駆動パルス出力回路１０８と、を備えて構成されている。
　さらに、計時装置１は、通常モータ駆動パルス信号ＳＩあるいは補正駆動パルス信号ＳＪに基づいてパルスモータ１０を駆動するためのモータ駆動パルス信号ＳＬを出力するモータ駆動回路１０９と、モータ駆動回路１０９から出力される誘起電圧信号ＳＤに基づいて高周波磁界を検出して高周波磁界検出結果信号ＳＥを出力する高周波磁界検出回路１１０と、モータ駆動回路１０９から出力される誘起電圧信号ＳＤに基づいて交流磁界を検出し交流磁界検出結果信号ＳＦを出力する交流磁界検出回路１１１と、後述の回転検出制御回路１１３Ｃから出力される回転検出制御信号ＳＭおよびモータ駆動回路１０９から出力される誘起電圧信号ＳＤに基づいてモータ１０が回転したか否かを検出し、回転検出結果信号ＳＧを出力する回転検出回路１１２Ｄと、発電機交流磁界検出回路１０６から出力される発電機交流磁界検出結果信号ＳＣに基づいて回転検出制御信号ＳＭを計時制御回路１０５に出力する回転検出制御回路１１３Ｃと、を備えて構成されている。
【００８９】
［４．２］ 具体的動作
　次に第４実施形態の具体的動作例について図１６のタイミングチャートを参照して説明する。
　通常駆動時においては、通常モータ駆動パルス信号の波形は、櫛歯のように複数のパルスにより構成されているものとする。以下、このような波形を櫛歯波形という。
時刻ｔ１において、発電機交流磁界検出タイミング信号ＳＢが"Ｈ"レベルとなると、高周波磁界検出用パルスＳＰ０がモータ駆動回路からパルスモータ１０に出力される。
そして時刻ｔ２において、第１の極性を有する交流磁界検出用パルスＳＰ１１がモータ駆動回路からパルスモータ１０に出力される。
　このとき、発電部１０１の発電電圧が高電位側電圧ＶＤＤを上回ると、充電検出回路１０２から出力される充電検出結果信号ＳＡは"Ｈ"レベル、発電機交流磁界検出結果信号ＳＣは"Ｈ"レベルとなる。
　その後、時刻ｔ３において、第１の極性とは逆極性の第２の極性を有する交流磁界検出用パルスＳＰ１２が出力される。
【００９０】
　時刻ｔ４において、発電機交流磁界検出タイミング信号ＳＢが"Ｌ"レベルとなると、回転検出制御回路１１３Ｃは、回転検出制御信号ＳＭを"Ｈ"レベルとする。
この結果、計時制御回路１０５は、通常モータ駆動パルス信号の波形を櫛波波形（図１６中、点線で示す。）から同一のパルス出力期間を有する矩形波形（図１６中、実線で示す。）に変更する。
　これによりパルスモータ１０を構成するコイルに流れる電流のピーク値を上げることができ、通常モータ駆動パルス信号印加後の電流立下がり時間を長くすることが出来る。
この電流立ち下がり時間中は、パルスモータ１０を構成するロータが非回転となり、コギングトルクにより安定点に戻ろうとする動きにブレーキをかけることとなり、非回転時の誘起電圧レベルを抑制することが出来るのである。
【００９１】
　より詳細には、図１７（ａ）に示す櫛歯波形の通常モータ駆動パルス信号に代えて、図１７（ｂ）に示す矩形波形の通常モータ駆動パルス信号とすることにより、図１７（ｄ）に示すように、通常モータ駆動パルス信号印加後の電流立下がり時間ｔ１がｔ２となり、パルスモータ１０を構成するロータが非回転となり、コギングトルクにより安定点に戻ろうとする動きにより大きなブレーキをかけることとなり、非回転時の誘起電圧レベルを抑制することが出来るのである。
　その後、時刻ｔ５において、回転検出回路１１２Ｄは、回転検出用パルスＳＰ２に基づいて回転検出を行うが、電流立下がり時間に応じて回転検出回路１１２Ｄに入力される誘起電圧レベルは非回転側にシフトされることとなり、ノイズの影響を低減することができる。
　上述したように時刻ｔ１〜時刻ｔ２の期間において高周波磁界が検出され、時刻ｔ２〜時刻ｔ４の期間において交流磁界が検出され、あるいは、時刻ｔ５〜時刻ｔ６の期間において回転が検出されなかった場合には、通常駆動パルスＫ１１の出力開始タイミング（＝時刻ｔ４に相当）から予め定めた所定時間が経過した時刻ｔ７において、通常駆動パルスＫ１１よりも実効電力の大きな実効電力を有する補正駆動パルスＰ２＋Ｐｒが出力される。
　これにより、パルスモータ１０は確実に駆動されることとなる。
【００９２】
　そして、補正駆動パルスＰ２＋Ｐｒが出力された場合には、さらに時刻ｔ８において、補正駆動パルスＰ２＋Ｐｒの印加に伴う残留磁束をうち消すため、補正駆動パルスＰ２＋Ｐｒの極性とは逆極性の消磁パルスＰＥの出力が開始される。
　そして時刻ｔ９においては、発電機交流磁界検出結果信号ＳＣ"Ｌ"レベルとなり、消磁パルスＰＥの出力は終了する。
　これと並行して、回転検出制御信号ＳＭも"Ｌ"レベルとなる。
【００９３】
　以上の説明のように、充電検出期間においては、通常モータ駆動パルスＫ１１の波形を櫛歯波形から矩形波形とするので、パルスモータ１０を構成するロータが非回転となり、コギングトルクにより安定点に戻ろうとする動きにブレーキをかけることとなり、実効的な非回転時の誘起電圧レベルを非回転側にシフトしている。
　従って、発電部１０１の発電に伴う発電電流、ひいては、蓄電装置１０４の充電を行う際の充電電流に伴って発生する電圧ノイズが誘起電圧に重畳されても、パルスモータ１０の非回転状態を回転状態であると誤検出することを抑制することができる。
　この結果、パルスモータ１０を確実に駆動することが可能となる。
【００９４】
［４．３］第４実施形態の効果
　以上の説明のように本第４実施形態によれば、回転検出回路の回転検出期間においては、通常モータ駆動パルスＫ１１の波形を櫛歯波形から矩形波形とするので、パルスモータ１０を構成するロータが非回転となり、コギングトルクにより安定点に戻ろうとする動きに電磁ブレーキをかけることとなり、実効的な非回転時の誘起電圧レベルを非回転側にシフトするので、パルスモータの非回転状態を回転状態であると誤検出するのを抑制することができる。
　この結果、パルスモータの確実な回転を確保することが可能となり、計時装置においては、正確な時刻表示を行うことが可能となる。
【００９５】
［４．４］変形例
［４．４．１］第１変形例
　以上の説明においては、通常モータ駆動パルスＫ１１の波形を櫛歯波形から矩形波形としていたが、図１７（ｂ）に示す矩形波形の通常モータ駆動パルス信号に代えて、図１７（Ｃ）に示すように、櫛歯波形の通常モータ駆動パルスＫ１１の最後のパルス幅を長くすることにより、図１７（ｅ）に示すように、通常モータ駆動パルス信号印加後の電流立下がり時間ｔ１がｔ３（＜ｔ２）とすることができ、パルスモータ１０を構成するロータが非回転となり、コギングトルクにより安定点に戻ろうとする動きに同様に大きな電磁ブレーキをかけることとなり、非回転時の誘起電圧レベルを抑制するように構成することも可能である。
【００９６】
［４．４．２］第２変形例
　以上の説明においては、通常モータ駆動パルスＫ１１の出力直後に回転検出パルスＳＰ２を出力する構成としていたが、通常モータ駆動パルスＫ１１の出力後、所定期間経過した後に回転検出パルスＳＰ２を出力する構成とし、所定期間中は、パルスモータ１０を構成するコイルを閉ループ状態とすることによっても、電磁ブレーキをかけることが出来、同様の効果を得ることが出来る。
【００９７】
［５］第５実施形態
　上記各実施形態においては、発電検出回路の検出ディレイについては考慮していなかったが、本第５実施形態は、発電検出回路の検出ディレイを考慮に入れ、検出ディレイに基づく検出漏れを防ぐための実施形態である。
　本第５実施形態における制御系の機能構成については、図１２の第４実施形態と発電検出回路に代えて発電検出回路１０２Ｅを用いた以外は同様であるので、詳細な説明は省略する。
【００９８】
［５．１］発電検出回路周辺の構成
　図１８にこのような検出ディレイが発生する発電検出回路の周辺の回路構成例を示す。
　図１８においては、発電検出回路１０２Ｅと、発電検出回路１０２Ｅの周辺回路として、交流発電を行う発電部１０１と、発電部１０１から出力される交流電流を整流して直流電流に変換する整流回路１０３と、整流回路１０３から出力される直流電流により蓄電する蓄電装置１０４と、を図示している。
　発電検出回路１０２Ｅは、後述の第１コンパレータＣＯＭＰ１及び第２コンパレータＣＯＭＰ２の出力の論理積の否定をとって出力するＮＡＮＤ回路２０１と、ＮＡＮＤ回路２０１の出力をＲ−Ｃ積分回路を用いて平滑化して発電検出結果信号ＳＡとして出力する平滑化回路２０２と、を備えて構成されている。
【００９９】
　整流回路１０３は、発電部１０１の一方の出力端子ＡＧ１の電圧を基準電圧ＶＤＤと比較することにより第１トランジスタＱ１のオン／オフ制御を行って能動整流を行わせるための第１コンパレータＣＯＭＰ１と、発電部１０１の他方の出力端子ＡＧ２の電圧を基準電圧ＶＤＤと比較することにより第２トランジスタＱ２を第１トランジスタＱ１と交互にオン／オフすることにより能動整流を行わせるための第２コンパレータＣＯＭＰ２と、発電部１０１の端子ＡＧ２の端子電圧Ｖ２が予め定めた閾値電圧を越えるとオン状態となる第３トランジスタＱ３と、発電部１０１の端子ＡＧ１の端子電圧Ｖ１が予め定めた閾値電圧を越えるとオン状態となる第４トランジスタＱ４と、を備えて構成されている。
【０１００】
　まず、充電動作について説明する。
　発電部１０１が発電を開始すると、発電電圧が両出力端子ＡＧ１、ＡＧ２に給電される。この場合、出力端子ＡＧ１端子電圧Ｖ１と出力端子ＡＧ２の端子電圧Ｖ２は、位相が反転している。
　出力端子ＡＧ１の端子電圧Ｖ１が閾値電圧を越えると、第４トランジスタＱ４がオン状態となる。この後、端子電圧Ｖ１が上昇し、電源ＶＤＤの電圧を越えると、第１コンパレータＣＯＭＰ１の出力は"Ｌ"レベルとなり、第１トランジスタＱ１がオンすることとなる。
　一方、出力端子ＡＧ２の端子電圧Ｖ２は閾値電圧を下回っているので、第３トランジスタＱ３はオフ状態であり、端子電圧Ｖ２は電源ＶＤＤの電圧未満であり、第２コンパレータＣＯＭＰ２の出力は"Ｈ"レベルであり、第２トランジスタＱ２はオフ状態である。
したがって、第１トランジスタＱ１がオン状態となる期間において、「端子ＡＧ１→第１トランジスタＱ１→電源ＶＤＤ→蓄電装置１０４→電源ＶＴＫＮ→第４トランジスタＱ４」の経路で発電電流が流れ、蓄電装置１０４に電荷が充電される。
　この後、端子電圧Ｖ１が下降すると、出力端子ＡＧ１の端子電圧Ｖ１は電源ＶＤＤの電圧未満となり、第１コンパレータＣＯＭＰ１の出力が"Ｈ"レベルとなって、第１トランジスタＱ１はオフ状態となり、出力端子ＡＧ１の端子電圧Ｖ１は第４トランジスタＱ４の閾値電圧を下まわることとなり、トランジスタＱ４もオフ状態となる。
【０１０１】
　一方、出力端子ＡＧ２の端子電圧Ｖ２が閾値電圧を越えると、第３トランジスタＱ３がオン状態となる。この後、端子電圧Ｖ２がさらに上昇し、電源ＶＤＤの電圧を越えると、第２コンパレータＣＯＭＰ２の出力は"Ｌ"レベルとなり、第２トランジスタＱ２がオンすることとなる。
　したがって、第２トランジスタＱ２がオン状態となる期間において、「端子ＡＧ２→第２トランジスタＱ２→電源ＶＤＤ→蓄電装置１０４→電源ＶＴＫＮ→第３トランジスタＱ３」の経路で発電電流が流れ、蓄電装置１０４に電荷が充電されることとなる。
上述したように、発電電流が流れる際には、第１コンパレータＣＯＭＰ１あるいは第２コンパレータＣＯＭＰ２の出力はいずれかが"Ｌ"レベルとなっている。
　そこで、発電検出回路１０２ＥのＮＡＮＤ回路２０１は、第１コンパレータＣＯＭＰ１及び第２コンパレータＣＯＭＰ２の出力の論理積の否定をとることにより、発電電流が流れている状態で"Ｈ"レベルの信号を平滑化回路２０２に出力することとなる。
この場合において、ＮＡＮＤ回路２０１の出力はスイッチングノイズを含むこととなるので、平滑回路２０２は、ＮＡＮＤ回路２０１の出力をＲ−Ｃ積分回路を用いて平滑化して発電検出結果信号ＳＡとして出力するのである。
【０１０２】
　ところで、このような発電検出回路１０２Ｅは、構造上、検出信号は検出ディレイを含んでいるため、これを考慮しなければ、検出漏れに伴ってモータが正常に回転しないこととなる。
　そこで、本第５実施形態においては、検出ディレイを考慮して、モータを正常に回転させているのである。
　［５．２］第５実施形態の効果
　以上の説明のように本第５実施形態によれば、発電検出回路１０２Ｅに検出ディレイが存在する場合であっても、必ず補正駆動パルスが出力される条件が満たされた場合、すなわち、高周波磁界検出パルスＳＰ０の出力中、交流磁界検出パルスＳＰ１１、ＳＰ１２の出力中、通常駆動パルスＫ１１の出力中あるいは回転検出パルスＳＰ２の出力中に発電検出回路１０２Ｅにより蓄電装置１０４を充電可能な発電が検出された場合には、出力中のパルスを中断し、当該パルスの出力以降に出力する予定のパルスの出力を停止することとなるので、補正駆動パルスによりモータコイルの確実な回転が保証されるとともに、モータコイルの確実な回転が保証されていれば出力される必要のない各種パルスＳＰ０、ＳＰ１１、ＳＰ１２、Ｋ１１、ＳＰ２を出力する必要がなくなりそれらのパルスを出力するための電力を低減することが可能となる。
　また、発電検出回路１０２Ｅは、二次電池の充電経路とは別個の経路を介して充電の有無を検出しているため、発電検出処理と実際の充電処理とを並行して行うことが出き、発電検出処理に伴う充電効率を低下させることがない。
【０１０３】
［６．１］第１変形例
　以上の説明においては、充電検出を行って充電が検出されている場合に回転検出に用いる誘起電圧あるいは回転基準電圧の電圧レベルをモータの非回転状態において、回転状態であると誤検出するのを防止できる側にシフトするものであったが、充電検出に代えてあるいはこれに加えて発電磁界検出時に同様の制御を行うように構成することも可能である。
【０１０４】
［６．２］第２変形例
　以上の各実施形態においては、一つのモータを制御する場合の説明であったが、複数のモータが同一の環境に設置されているとみなせるような場合、例えば、腕時計内に複数のモータを内蔵しているような場合には、一つの発電検出回路（発電機交流磁界検出回路）により複数のモータを同時に制御するように構成することも可能である。
【０１０５】
［６．３］第３変形例
　上記実施形態においては、発電磁界が検出された場合に通常駆動パルスに代えて補正駆動パルスを出力する構成としていたが、通常駆動パルスの出力を禁止せず、補正駆動パルスの出力に先立って通常駆動パルスを出力する構成とすることも可能である。
この場合においては、補正駆動パルスおよび通常駆動パルスによってモータが駆動されすぎず、正規の位置まで駆動されるように両駆動パルスの極性を考慮する必要がある。すなわち、通常駆動パルスによりモータが回転した後に発電検出がされ、補正駆動パルスが出力された場合であっても、補正駆動パルスの極性を通常駆動パルスの極性と同極性としておけば、モータコイルに流れる電流方向は等しいため、補正駆動パルスの極性は次のモータの回転方向に対応する電流方向に対して逆方向となり、通常駆動パルスによるモータの回転に加えてさらに補正駆動パルスによるモータの回転が生じないからである。
【０１０６】
［６．４］第４変形例
　本発明の発電部としては、充電検出に代えて発電磁界検出を行う場合を除き、どのような形式のものであっても適用が可能である。
例えば、電磁発電機では、リュウズ（竜頭）で発電ロータを回転させる電磁発電機、ゼンマイに蓄えられた運動エネルギーにより発電ロータを回転させる電磁発電機なども本発明の発電部に相当する。
　また、外部の交播磁界あるいは電磁波を誘導コイルで電気エネルギーに変換して充電するシステムも本発明の発電部に相当する。
【０１０７】
［６．５］第５変形例
　上記実施形態においては、腕時計型の計時装置を例として説明したが、発電時に磁界が発生し、かつ、モータを備える時計であるならば、例えば、懐中時計、カード型携帯時計などのいかなる時計においても本発明の適用が可能である。
【０１０８】
［６．６］第６変形例
　上記実施形態においては、腕時計型の計時装置を例として説明したが、発電時に磁界が発生し、かつ、モータを備える電子機器であれば、本発明の適用が可能である。
例えば、音楽プレーヤ、音楽レコーダ、画像プレーヤおよび画像レコーダ（ＣＤ用、ＭＤ用、ＤＶＤ用、磁気テープ用等）あるいはそれらの携帯用機器並びにコンピュータ用周辺機器（フロッピー（登録商標）ディスクドライブ、ハードディスクドライブ、ＭＯドライブ、ＤＶＤドライブ、プリンタ等）あるいはそれらの携帯用機器等の電子機器であってもかまわない。
【０１０９】
［７］実施形態の効果
　本発明の実施形態によれば、発電部の発電状態あるいは蓄電部の充電状態に基づいて回転検出電圧の電圧レベルを相対的に非回転側に予め定めた所定量だけシフトするので、モータの非回転状態を回転状態であると誤検出するのを抑制することができ、モータの確実な回転を確保することが可能となり、特に計時装置においては、正確な時刻表示を行うことが可能となる。
【図面の簡単な説明】
【０１１０】
【図１】計時装置の概要構成説明図である。
【図２】第１実施形態の計時装置の機能構成ブロック図である。
【図３】モータ駆動回路および回転検出回路周辺の構成図である。
【図４】誘起電圧制御部の概要構成図である。
【図５】実施形態及の処理フローチャートである。
【図６】第１実施形態のタイミングチャートである。
【図７】他の誘起電圧制御部の概要構成図である。
【図８】さらに他の誘起電圧制御部の概要構成図である。
【図９】第２実施形態の原理説明図である。
【図１０】第２実施形態の計時装置の機能構成ブロック図である。
【図１１】第２実施形態のタイミングチャートである。
【図１２】第３実施形態の計時装置の機能構成ブロック図である。
【図１３】回転検出回路部の概要構成ブロック図である。
【図１４】第３実施形態のタイミングチャートである。
【図１５】第４実施形態の計時装置の機能構成ブロック図である。
【図１６】第４実施形態のタイミングチャートである。
【図１７】第４実施形態の動作説明図である。
【図１８】第５実施形態の発電検出回路周辺の構成図である。
【図１９】第３実施形態の回転検出用基準電圧発生回路の一例の詳細構成図である。
【図２０】サンプリング信号のタイミングチャートである。
【符号の説明】
【０１１１】
　Ａ……発電部
　Ｂ……電源部
　Ｃ……制御部
　Ｄ……運針機構
　Ｅ……駆動部
　１０１……発電部
　１０２，１０２Ｅ……発電検出回路
　１０３……整流回路
　１０４……蓄電装置
　１０５……計時制御回路
　１０６……発電機交流磁界検出回路
　１０７……デューティダウンカウンタ
　１０８……補正駆動パルス出力判断回路
　１０９……モータ駆動回路
　１１０……高周波磁界検出回路
　１１１……交流磁界検出回路
　１１２，１１２Ａ，１１２Ｂ，１１２Ｃ，１１２Ｄ……回転検出回路
　１１３，１１３Ａ，１１３Ｂ，１１３Ｃ……回転検出制御回路
【図１】
2004077494.tif 000003
【図２】
2004077494.tif 000004
【図３】
2004077494.tif 000005
【図４】
2004077494.tif 000006
【図５】
2004077494.tif 000007
【図６】
2004077494.tif 000008
【図７】
2004077494.tif 000009
【図８】
2004077494.tif 000010
【図９】
2004077494.tif 000011
【図１０】
2004077494.tif 000012
【図１１】
2004077494.tif 000013
【図１２】
2004077494.tif 000014
【図１３】
2004077494.tif 000015
【図１４】
2004077494.tif 000016
【図１５】
2004077494.tif 000017
【図１６】
2004077494.tif 000018
【図１７】
2004077494.tif 000019
【図１８】
2004077494.tif 000020
【図１９】
2004077494.tif 000021
【図２０】
2004077494.tif 000022